(57)【要約】【課題】周辺機器を情報処理装置に接続した際に、周辺機器が情報処理装置から突出せずに収納されることで、周辺機器や情報機器を保護する。【解決手段】第１の筐体１の側面１ｃに凹部１０を備え、ＵＳＢポート１１を凹部１０内に配置したことにより、ＵＳＢポート１１に接続されたＵＳＢデバイス２０が第１の筐体１から突出しにくくすることができる。また、本体部２１が小型化されたＵＳＢデバイス２０では、本体部２１を第１の筐体１から突出させず、凹部１０に収納することができる。したがって、ＵＳＢデバイス２０に、ユーザーが着衣等を引っ掛けてしまうことを防止し、ＵＳＢデバイス２０やノートパソコンを破損してしまうことを防止することができる。【選択図】図６
2012146295.tif 000002
【特許請求の範囲】
【請求項１】
筐体と、
前記筐体の一主面に形成された凹部と、
前記凹部内に配置され、周辺デバイスを接続可能な接続ポートとを備え、
前記凹部は、前記接続ポートに接続された前記周辺デバイスの本体部を収納可能である、情報処理装置。
【請求項２】
前記凹部は、前記接続ポートに接続された周辺デバイスを、前記一主面から突出させないように収納可能である、請求項１記載の情報処理装置。
【請求項３】
前記凹部は、前記筐体における前記一主面とそれに隣接する面とに連続的に形成されている、請求項１記載の情報処理装置。
【請求項４】
ユーザーによる入力操作を受け付ける入力部を備え、
前記一主面は、前記筐体における前記入力部が備わる面の裏側の面である、請求項１記載の情報処理装置。
【発明の詳細な説明】
【技術分野】
【０００１】
本願は、情報処理装置に関する。
【背景技術】
【０００２】
ノートパソコン等の情報処理装置は、筐体の側面等に、ＵＳＢ（Universal Serial Bus）ポート等の各種ポートを備えていることが多い。また、近年では、ＵＳＢポートに接続可能なメモリーモジュールやアンテナモジュール等のＵＳＢモジュールが登場してきている。
【０００３】
特許文献１は、接続ポートを備えた情報機器を開示している。接続ポートには、周辺機器を接続可能である。
【０００４】
しかしながら特許文献１が開示している構成では、接続ポートに周辺機器を接続した状態において、周辺機器が情報機器から突出した状態になり、ユーザーが周辺機器に着衣等を引っ掛けてしまう可能性がある。ユーザーが周辺機器に着衣等を引っ掛けてしまうと、周辺機器や情報機器を破損させてしまう可能性がある。
【先行技術文献】
【特許文献】
【０００５】
【特許文献１】米国特許公開第２００４／０２５２４７２（Ａ１）号明細書
【発明の概要】
【発明が解決しようとする課題】
【０００６】
しかしながら特許文献１が開示している構成では、接続ポートに周辺機器を接続した状態において、周辺機器が情報機器から突出した状態になり、ユーザーが周辺機器に着衣等を引っ掛けてしまう可能性がある。ユーザーが周辺機器に着衣等を引っ掛けてしまうと、周辺機器や情報機器を破損させてしまう可能性がある。
【課題を解決するための手段】
【０００７】
本願に開示する情報処理装置は、筐体と、前記筐体の一主面に形成された凹部と、前記凹部内に配置され、周辺デバイスを接続可能な接続ポートとを備え、前記凹部は、前記接続ポートに接続された周辺デバイスの本体部を収納可能である。
【発明の効果】
【０００８】
本願の開示によれば、周辺機器を情報処理装置に接続した際に、周辺機器が情報処理装置から突出せずに収納されることで、周辺機器や情報機器を保護することができる。
【図面の簡単な説明】
【０００９】
【図１】ノートパソコンの斜視図
【図２】第１の筐体の平面図
【図３】ＵＳＢデバイスの斜視図
【図４】図２におけるＺ−Ｚ部の拡大断面図
【図５】図２における矢印Ｄに示す方向から見た拡大側面図
【図６】ＵＳＢポートにＵＳＢデバイスが接続された状態を示す拡大断面図
【図７】ＵＳＢポートにＵＳＢデバイスが接続された状態を示す拡大側面図
【図８】変形例１における凹部及びＵＳＢポートの拡大断面図
【図９】変形例１における凹部及びＵＳＢポートの拡大側面図
【図１０】変形例２における第１の筐体の平面図
【図１１】図１０におけるＺ−Ｚ部の断面図
【図１２】図１１におけるＺ−Ｚ部の断面図
【発明を実施するための形態】
【００１０】
（実施の形態）
〔１．情報処理装置の構成〕
図１は、本実施の形態にかかるノートパソコンの外観を示す斜視図である。図２は、ノートパソコンの第１の筐体１の平面図である。本実施の形態では、情報処理装置の一例としてノートパソコンを挙げたが、少なくとも周辺機器を接続可能な接続ポートを備えた装置であればよく、例えばデスクトップパソコンであってもよい。また、本実施の形態では、周辺機器の一例としてＵＳＢデバイスを挙げたが、ノートパソコンとの間のインターフェースはＵＳＢに限らない。
【００１１】
図１及び図２に示すように、ノートパソコンは、第１の筐体１と第２の筐体２とを備えている。第１の筐体１は、各種電気素子が実装された回路基板やハードディスクドライブなどを内蔵している。第２の筐体２は、ディスプレイパネル４を備えている。ディスプレイパネル４は、例えば液晶ディスプレイパネルで実現することができる。第１の筐体１と第２の筐体２とは、ヒンジ部３によって互いに回動自在に支持されている。したがって、ノートパソコンは、図１に示す第１の状態と、第１の状態から第２の筐体２を矢印Ａに示す方向へ回動しディスプレイパネル４とキーボード５とが対向する姿勢である第２の状態とに移行可能である。ヒンジ部３は、第１の筐体１と第２の筐体２とを矢印ＡまたはＢに示す方向へ回動自在に支持する回動軸を備えている。第１の筐体１の上面１ａには、キーボード５とポインティングデバイス６とが配されている。第１の筐体１の側面１ｃには、凹部１０が備わる。凹部１０の内部には、ＵＳＢポート１１が備わる。
【００１２】
図３は、ＵＳＢポート１１に着脱可能なＵＳＢデバイスの一例の斜視図である。図３に示すように、ＵＳＢデバイス２０は、本体部２１とコネクタ２２とを備えている。本体部２１は、電気素子等を内蔵している。本実施の形態のＵＳＢデバイス２０は、各種データを記憶可能なＵＳＢデバイスとしているため、本体部２１には半導体メモリーなどの記憶素子が内蔵されている。コネクタ２２は、本体部２１に内蔵された電気素子に電気的に接続されている。コネクタ２２は、ＵＳＢポート１１に電気的に接続可能であるとともに機械的に着脱可能である。なお、ＵＳＢデバイス２０は、各種データを記憶可能なメモリ機能を備えたデバイスに限らず、無線ＬＡＮ（Local Area Network）等に対応したアンテナモジュールを内蔵したＵＳＢデバイス等であってもよい。図３において、寸法Ｗ１１は本体部２１の幅寸法、寸法Ｈ１１は本体部２１の高さ寸法、寸法Ｄ１１は本体部２１の奥行き寸法である。近年では、寸法Ｗ１１、Ｈ１１、Ｄ１１がそれぞれ１０ｍｍ程度の小型ＵＳＢデバイスが登場している。
【００１３】
図４は、図２における凹部１０及びＵＳＢポート１１を含むその近傍（Ｚ−Ｚ部）の拡大断面図である。図５は、第１の筐体１の側面１ｃにおける凹部１０近傍の拡大側面図であり、図２における矢印Ｄに示す方向から見た図である。
【００１４】
凹部１０は、少なくともＵＳＢデバイスを収容可能な空間を有する。凹部１０は、例えば図３に示すＵＳＢデバイス２０の本体部２１を収容可能な容積を有する。具体的には、凹部１０の奥行き寸法Ｄ１（図３に示す第１の筐体１の側面１ｃから奥面１０ａまでの距離）と高さ寸法Ｈ１（図３及び図４参照）と幅寸法Ｗ１（図４参照）と、図３に示すＵＳＢデバイス２０の本体部２１の奥行き寸法Ｄ１１と高さ寸法Ｈ１１と幅寸法Ｗ１１との関係を、
Ｄ１１≦Ｄ１
Ｈ１１＜Ｈ１
Ｗ１１＜Ｗ１
としている。なお、「Ｈ１１＜Ｈ１」及び「Ｗ１１＜Ｗ１」と、凹部１０の高さ寸法Ｈ１と幅寸法Ｗ１とをＵＳＢデバイス２０の本体部２１の高さ寸法Ｈ１１と幅寸法Ｗ１１よりも大きくしているのは、ＵＳＢデバイス２０をＵＳＢポート１１に着脱する際にユーザーが本体部２１を把持できるようにするためである。
【００１５】
また、凹部１０の幅寸法Ｗ１１及び高さ寸法Ｈ１１は、ＵＳＢデバイス２０をＵＳＢポート１１から取り外す際に、ユーザーがＵＳＢデバイス２０と凹部１０との間に指を挿入しＵＳＢデバイス２０の本体部２１を指で把持しやすくするために、極力大きな寸法とすることが好ましい。寸法Ｗ１は、例えば寸法Ｗ１１が１０ｍｍの場合、５０ｍｍ以上とすることが好ましい。寸法Ｈ１は、例えば寸法Ｈ１１が１０ｍｍの場合、２０ｍｍ以上とすることが好ましい。また、凹部１０は開口しているため、上記関係式のように「Ｄ１１＝Ｄ１」であってもよい。
【００１６】
ＵＳＢポート１１は、ＵＳＢ規格に準拠したポートである。ＵＳＢポート１１は、例えば図３に示すＵＳＢデバイス２０を着脱することができる。ＵＳＢポート１１は、第１の筐体１に内蔵されている回路基板１２に、電気的に接続されているとともに機械的に固定されている。ＵＳＢポート１１は、コネクタ２２（図３参照）を挿脱するための開口を凹部１０内に露出している。
【００１７】
図６は、ＵＳＢポート１１にＵＳＢデバイス２０が接続された状態を示す断面図である。図７は、ＵＳＢポート１１にＵＳＢデバイス２０が接続された状態を示す側面図であり、図２における矢印Ｄに示す方向から見た図である。図６及び図７に示すように、ＵＳＢポート１１にＵＳＢデバイス２０のコネクタ２２が接続された状態では、本体部２１は、凹部１０内に位置している。具体的には、本体部２１の端面２１ａは、第１の筐体１の側面１ｃから突出せず、凹部１０内に位置している。なお、本体部２１の端面２１ａは、第１の筐体１の側面１ｃと面一となる位置に配置されてもよい。
【００１８】
また、図７に示すように、凹部１０は、ＵＳＢポート１１に接続されたＵＳＢデバイス２０と左内面１０ｂとの間に空隙Ｗ２１が形成され、ＵＳＢデバイス２０と右内面１０ｃとの間に空隙Ｗ２２が形成されるように、幅寸法Ｗ１（図５参照）が設定されている。空隙Ｗ２１及びＷ２２は、ユーザーがＵＳＢデバイス２０をＵＳＢポート１１に着脱する際に、ＵＳＢデバイス２０の本体部２１と凹部１０の左内面１０ｂとの間に指（例えば第１指）を挿入し、本体部２１と右内面１０ｃとの間に指（例えば第２指）を挿入して、ＵＳＢデバイス２０の本体部２１を把持するために設けられた空隙である。したがって、空隙Ｗ２１及びＷ２２の寸法は、少なくともユーザーの指（例えば第１指及び第２指のうちいずれか大きい方）を挿入可能な寸法であればよい。人間の手の指の太さには個人差があるが、空隙Ｗ２１及びＷ２２の寸法をそれぞれ２０ｍｍ程度とすることが好ましい。
【００１９】
〔２．実施の形態の効果、他〕
本実施の形態によれば、第１の筐体１の側面１ｃに凹部１０を備え、ＵＳＢポート１１を凹部１０内に配置したことにより、ＵＳＢポート１１に接続されたＵＳＢデバイス２０が第１の筐体１から突出しにくくすることができる。また、本体部２１が小型化されたＵＳＢデバイス２０では、本体部２１を第１の筐体１から突出させず、凹部１０に収納することができる。したがって、ＵＳＢデバイス２０に、ユーザーが着衣等を引っ掛けてしまうことを防止し、ＵＳＢデバイス２０やノートパソコンを破損してしまうことを防止することができる。
【００２０】
また、たとえ本体部２１の奥行き寸法Ｄ１１が大きいＵＳＢデバイス２０であっても、側面１ｃの表面に備わるＵＳＢポートにＵＳＢデバイスを接続する場合に比べて、側面１ｃ側への突出量を少なくすることができる。したがって、第１の筐体１から突出配置されたＵＳＢデバイス２０にユーザーの着衣等が引っ掛かる可能性を低くすることができる。
【００２１】
また、本実施の形態によれば、凹部１０内にＵＳＢポート１１を備えたことにより、ＵＳＢポート１１にＵＳＢデバイス２０を接続したまま、ノートパソコン（第２の状態）を鞄等にスムーズに収納することができる。すなわち、ＵＳＢポート１１に接続されたＵＳＢデバイス２０は第１の筐体１から大きく突出していないため、第２の状態にあるノートパソコンを鞄等に収納する際に、ＵＳＢデバイス２０が鞄の内部の縫合部分等に引っ掛かりにくい。したがって、ＵＳＢポート１１にＵＳＢデバイス２０を接続したまま、ノートパソコンを鞄等にスムーズに収納することができる。
【００２２】
すなわち、本願の開示によれば、例えば周辺デバイスとしてＵＳＢデバイスを考えた場合に、電子機器の筐体の一主面に設けられた凹部の中に、ＵＳＢの本体部が収容可能とするものである。ＵＳＢポートに接続されるコネクタのみではなく、ＵＳＢデバイスの本体部の少なくとも一部が凹部内に収納されていることで、ＵＳＢデバイスのコネクタ部に強い外力が加わることを効果的に回避することができ、ＵＳＢデバイスの破損を防ぐことができる。
【００２３】
なお、本実施の形態では、凹部１０にはＵＳＢポート１１を備えた構成としているが、少なくとも単独筐体で構成されたデバイスを接続可能な接続部を凹部１０に備える構成であればよい。例えば、ＰＣＭＣＩＡ規格（Personal Computer Memory Card International Association）に準拠したカードを着脱可能なスロットを、凹部１０内に備えてもよい。
【００２４】
また、凹部１０及びＵＳＢポート１１は、第１の筐体１の側面１ｃに限らず、第１の筐体１の側面１ｄ、前面１ｅ、後面１ｆに備えてもよい。
【００２５】
また、ＵＳＢポート１１は、凹部１０の奥部１０ａに限らず、左内面１０ｂ、右内面１０ｃ（いずれも図７参照）に備えてもよい。
【００２６】
また、凹部１０内のＵＳＢポート１１とともに、側面１ｃの表面にＵＳＢポートを備えることが好ましい。このような構成とすることで、マウスなどのように着脱する頻度が高いＵＳＢデバイスの場合は、表面のＵＳＢポートに接続する方が着脱作業性が高い。
【００２７】
本実施の形態に関して、以下の変形例を開示する。
【００２８】
（変形例１）
図８は、情報処理装置の変形例１の断面図である。図９は、図８に示す情報処理装置を矢印Ｄに示す方向から見たときの側面図である。図８及び図９に示す情報処理装置において、図４等に示す情報処理装置と異なるのは、凹部１３の上面１ａ側が開放している点である。
【００２９】
図１０は、図８に示すＵＳＢポート１１にＵＳＢデバイス３０を接続した状態を示す断面図である。ＵＳＢデバイス３０は、本体部３１とコネクタ３２とを備えている。本体部３１は、図３に示すＵＳＢデバイス２０の高さ寸法Ｈ１１よりも高い高さ寸法Ｈ３１を有する。本体部３１の高さ寸法Ｈ３１は、凹部１３の高さ寸法Ｈ４１よりも高い。本体部３１の奥行き寸法Ｄ３１は、凹部１３の奥行き寸法Ｄ４１よりも小さい。
【００３０】
凹部１３は、上面１ａ側が開放しているため、図８に示すように高さ寸法Ｈ３１が凹部１３の高さ寸法Ｈ４１より高いＵＳＢデバイス３０をＵＳＢポート１１に接続することができる。ここで、ＵＳＢデバイス３０を第１の筐体１の上面１ａ側に突出させる構成では、側面１ｃ側に突出させるのに比べてユーザーの着衣等に引っ掛かる可能性を低くできるため、好ましい。
【００３１】
なお、ＵＳＢデバイス３０の本体部３１の高さ寸法Ｈ３１は、凹部１３の高さ寸法Ｈ４１よりも小さくすることで、本体部３１が凹部１３から突出することを防止できるため、さらに好ましい。
【００３２】
（変形例２）
図１１は、情報処理装置の変形例２の平面図である。図１２は、図１１におけるＺ−Ｚ部の断面図である。
【００３３】
図１１及び図１２に示すように、凹部４１は、第１の筐体１の下面１ｂに形成されている。ＵＳＢポート４２は、凹部４１の内面４１ａに配置されている。ＵＳＢポート４２にＵＳＢデバイスを接続する場合は、ＵＳＢデバイスを矢印Ｅに示すように凹部４１内に収納した後、矢印Ｆに示すようにＵＳＢポート４２側へスライドさせる。
【００３４】
このような構成において、ＵＳＢポート４２にＵＳＢデバイスを接続することにより、ＵＳＢデバイスを凹部４１に内に配置することができる。
【００３５】
なお、凹部４１は、第１の筐体１の下面１ｂに形成されているため、凹部４１に接続するＵＳＢデバイスはＵＳＢポート４２に着脱する頻度が低いＵＳＢデバイスであることが好ましい。
【００３６】
また、凹部４１は、第１の筐体１の下面１ｂに形成されているため、埃等の異物が侵入することが懸念されるため、リッド（不図示）で閉塞される構成とすることが好ましい。
【００３７】
また、本実施の形態におけるノートパソコンは、情報処理装置の一例である。本実施の形態における第１の筐体１は、筐体の一例である。本実施の形態における凹部１０、１３、４１は、凹部の一例である。本実施の形態におけるＵＳＢポート１１、４２は、接続ポートの一例である。本実施の形態におけるＵＳＢデバイス２０、３０は、周辺デバイスの一例である。
【産業上の利用可能性】
【００３８】
本願の開示は、情報処理装置に有用である。
【符号の説明】
【００３９】
１０  凹部
１１  ＵＳＢポート
２０  ＵＳＢデバイス
２１  本体部
２２  コネクタ
【図１】
2012146295.tif 000003
【図２】
2012146295.tif 000004
【図３】
2012146295.tif 000005
【図４】
2012146295.tif 000006
【図５】
2012146295.tif 000007
【図６】
2012146295.tif 000008
【図７】
2012146295.tif 000009
【図８】
2012146295.tif 000010
【図９】
2012146295.tif 000011
【図１０】
2012146295.tif 000012
【図１１】
2012146295.tif 000013
【図１２】
2012146295.tif 000014